(57)【要約】【課題】  燃焼による芯の炭化を緩和し、なおかつ炭化が進んでも芯からの油の気化を維持するよう、芯ホルダーの内壁と芯との間に隙間を設けつつ、芯を保持して抜け落ちないような内部形状をもったオイルキャンドル用芯ホルダー。【解決手段】  芯ホルダー内部に逆円錐台の空間を設けて芯と芯ホルダー内壁との隙間を確保するとともに、その下部に楕円筒の芯保持空間を設けて芯を保持しながら芯からの油の気化を阻害しないようにした。【選択図】図２
0003153152.tif 000002
【実用新案登録請求の範囲】
【請求項１】
内部に芯が吸い上げた油を気化する逆円錐台の空間と、その下部に芯を保持する楕円筒の空間を設け、芯ホルダーの内壁と芯との間の隙間を確保しつつ、芯が抜け落ちないように保持することを特徴としたオイルキャンドル用芯ホルダー。
【考案の詳細な説明】
【技術分野】
【０００１】  本発明は、芯先端の炭化を緩和するようにしたオイルキャンドル用芯ホルダーに関するものである。
【背景技術】
【０００２】  従来の芯ホルダーを用いたオイルキャンドルにおいて、廃食油を燃料とすると、芯先端の炭化の進行が著しく、炎が小さくなって消えてしまう。この現象は、廃食油には新しい油には含まれていない不純物が含まれているからである。廃食油のように不純物が含まれる油を燃料とした場合でも、芯先端の炭化が進み難い、また進行しても一定の燃焼状態を維持できるオイルキャンドル用芯ホルダーが必要である。【０００３】  従来のオイルキャンドル用の芯ホルダーに関する文献には文献１、２、３があるが、芯を装着する部分の形状は円筒形を常として、注意が払われていない。つまり、内部形状に関する記載がない。従来の芯ホルダーの内部形状が円筒を常としていた理由は、不純物を含まないオイルキャンドル専用の燃料を使っているために必要性がなかったからである。
【先行技術文献】
【特許文献】
【０００４】
【特許文献１】実用新案公開平５−３８７０１
【特許文献２】特許公開２００３−４１２８９
【特許文献３】特許公開２００６−２２２９２
【考案の概要】
【考案が解決しようとする課題】
【０００５】  従来の芯ホルダーを用いて廃食油を燃焼させると、芯先端の炭化の進行が新しい油に比べて著しく早い。これは廃食油に不純物が多く含まれるからである。芯先端の炭化が芯ホルダーから突き出ている芯全体に及ぶと炎が小さくなり消えてしまう。
油が燃焼する仕組みは、毛細管現象で芯の先端まで上った油に口火を近づけると引火点以上の温度になり着火する。炎が芯の先端で止まっているのは、芯ホルダーによって冷やされるからである。芯の役割は、毛細管現象で油を吸い上げること、油を可燃性の気体に換えることである。ホルダーと芯の間に隙間がないと油を気化する機能が損なわれ、炭化が進行しやすい。また、芯ホルダーから突き出た部分が炭素で覆われてしまうと、油を気化することができなくなって消える。油を可燃性の気体に換えることと、芯先端の炭化が進んでも燃焼を持続させるには、芯ホルダー内壁と芯の間に隙間を設ける必要がある。隙間を設けることにより、油が芯から気化することを持続できる。他方、隙間を設けると芯を保持することがでず、芯が芯ホルダーから抜け落ちる。【０００６】  本発明は、芯ホルダー内壁と芯との間に隙間を設けることと、芯が抜け落ちないよう保持するという、相反する２つの機能を同時に満足させる構造をもったオイルキャンドル用芯ホルダーを提供することを目的とする。
【課題を解決するための手段】
【０００７】  図１は燃焼中の芯の様子を表す模式図である。先端から順に、黒く炭化した部分Ａ、炭化が進行して黒ずんでいるが油を気化する機能が失われていない部分Ｂ、芯の色そのもので油を気化する部分Ｃである。燃焼を持続すると、先端から炭化が始まり芯の下部へと進行する。燃焼を持続するには、油を気化する部分Ｃが必要であるが、芯と芯ホルダーとの間に隙間がないと炭化の進行によってＣ部がなくなり、油を気化する機能が失われてしまう。【０００８】  図２は、重力の向きに平行な中心軸２を通る芯ホルダー１の垂直断面図である。芯を装着する芯ホルダーの内部には、油が気化するための気化空間３と、その下部に芯を保持して抜け落ちないようにするための保持空間４がある。気化空間は逆円錐台となっている。保持空間は楕円柱となっている。
図３は芯ホルダーに芯を装着したときの垂直断面図である。気化空間を逆円錐台にすることによって、芯を保持しながら内壁と芯との間に隙間６が生じる。【０００９】  図４は気化空間の水平断面図（図３のＤ−Ｄ’断面）である。気化空間の断面は円形で、隙間は芯ホルダーの軸を中心とした同心円である。隙間を同心円とすることにより、油の気化も均一になり、軸に対象な形状の炎が得られる。【００１０】  図５は保持空間の水平断面図（図３のＥ−Ｅ’断面）である。断面形状は楕円となっている。楕円の短径は芯の外径より小さく芯を保持する。楕円の長径は芯の外径より大きく、芯ホルダー内壁と芯との間に隙間がある。楕円形の短軸側で芯を保持しつつ、長軸側では隙間を確保することにより、芯を保持しながら芯からの油の気化を阻害しないようにしている。
【考案の効果】
【００１１】  上述したように、本発明のオイルキャンドル用芯ホルダーは、ホルダー内壁と芯との間に隙間を設けることによって、廃食油のような不純物の多い油を燃料としても、一定の炎での燃焼が持続できる。また、隙間を設けつつも芯を保持することができる。
【図面の簡単な説明】
【００１２】
【図１】燃焼中の芯の模式図
【図２】芯ホルダーの垂直断面図
【図３】芯を装着したときの芯ホルダーの垂直断面図
【図４】燃料気化空間の水平断面図
【図５】芯保持空間の水平断面
【図６】本発明の実施形態図
【考案を実施するための形態】
【実施例】
【００１３】  本発明をオイルキャンドルとして用いる際は、キャンドル専用の芯や木綿製のタコ糸を装着する。芯の太さは芯を保持する楕円形断面の短軸の長さに合わせる。芯を芯ホルダーに通してみて、軽い摩擦力が生じる程度の直径の芯を選択する。替え芯は先端を接着剤で固めて細くしておくと通しやすい。なお、芯ホルダーを量産する場合は、芯の規格に合わせて芯ホルダーの寸法を定める。【００１４】  図６は本発明の実施形態図である。本発明の芯ホルダーをスタンドに垂直に固定する。芯ホルダーに芯を装着し、ガラス容器の底に芯先端が容器の中心に来るように置く。油を芯の先端にかけるようにして、液面が芯ホルダーの先端から約１０ｍｍ下の位置まで注ぎ入れる。ガス式点火具などの炎を芯先端に近づけて点火すると炎１３が灯る。消火するときは、金属製のふたで覆って酸素を断つ。
【産業上の利用可能性】
【００１５】  本発明は、不純物が多く含まれている廃食油をキャンドルの燃料として利用することができるこことから、廃食油の有効利用に寄与する。
【符号の説明】
【００１６】  １  芯ホルダー
２  芯ホルダーの中心軸
３  気化空間
４  保持空間
５  芯
６  芯ホルダー内壁と芯の隙間
７  楕円の短径
８  楕円の長径
９  スタンド
１０  ガラス容器
１１  油
１２  炎
【図１】
0003153152.tif 000003
【図２】
0003153152.tif 000004
【図３】
0003153152.tif 000005
【図４】
0003153152.tif 000006
【図５】
0003153152.tif 000007
【図６】
0003153152.tif 000008